(57)【特許請求の範囲】
【請求項１】
電気光学装置を搭載する表示ユニットと、本体部と、を備える携帯型の電子機器であって、
前記表示ユニットと前記本体部とは相互に、少なくとも当該表示ユニット及び前記本体
部のいずれか一方に設けられた支持機構により着脱自在に取り付けられ、
前記表示ユニットは、
前記電気光学装置により画像を表示する表示部と、
電磁誘導による無接点型充電方式によって充電可能な電源部と、
無線伝送方式に基づき外部から画像信号及び表示制御信号を含む無線信号を受信するアンテナを有し、前記アンテナから受信した前記無線信号を有線信号に変換する変換部と、
前記電源部及び前記変換部の各々に電気的に接続され、前記電源部から供給される電力並びに前記変換部から出力される前記画像信号及び前記表示制御信号に基づき、前記表示部に前記画像を表示する駆動回路と、
を有し、
前記本体部は、
前記無線伝送方式に基づき、前記表示ユニットの前記変換部との間で前記画像信号及び前記表示制御信号を含む前記無線信号の送信を行う他のアンテナを有し、所定の回路から出力された他の有線信号を前記無線信号に変換する機能を有する他の変換部と、
前記画像信号及び前記表示制御信号を生成し、当該画像信号及び当該表示制御信号を前記他の変換部に出力する制御用回路と、
前記他の変換部及び前記制御用回路に電力を供給する電磁誘導による無接点型充電方式によって充電可能な他の電源部と、を有し、
前記本体部は、外部音声を音声信号として検出する送話部を有すると共に、所定のメール信号を生成する操作部を有し、前記送話部で検出された前記音声信号及び前記操作部で生成された前記メール信号を前記他のアンテナから前記アンテナへ前記無線伝送方式により送信可能に形成されており、
前記表示ユニットは、前記本体部に設けられた前記他のアンテナとは異なる基地局との間で前記音声信号及び前記メール信号を含む対基地局無線信号を送受信可能な送受信用アンテナと、前記基地局から送信され前記送受信用アンテナで受信された前記対基地局無線信号に含まれる前記音声信号に基づく音声を発音する受話部とを有し、
前記アンテナと前記他のアンテナとの間では、前記無線伝送方式により前記音声信号及び前記メール信号の送信用の周波数帯域と重ならない周波数帯域を用いて前記無線信号の受信が行われるものであり、
前記表示ユニットの変換部は、所定の回路から出力された有線信号を無線信号に変換する機能と、当該無線信号を前記アンテナを通じて前記本体部の他の変換部を含む前記外部へ送信する機能と、を有すると共に、
前記本体部の他の変換部は、前記表示ユニットの前記変換部から送信された当該無線信号を他のアンテナを通じて受信し、当該有線信号に変換する機能と、当該有線信号を前記制御用回路に出力する機能と、を有し、
前記表示ユニットは、前記駆動回路と電気的に接続された配線基板を有し、
前記変換部は前記配線基板に設けられており、
前記変換部は前記駆動回路内に回路として組み込まれ、
前記アンテナは前記変換部から前記駆動回路の外面側へ引き出されており、
前記駆動回路は基板上に設けられ、
前記変換部は前記駆動回路内に回路として組み込まれ、
前記アンテナは前記変換部から前記基板上に且つ前記駆動回路の近傍位置に引き出されており、
前記無線伝送方式はシリアル伝送方式であり、
前記シリアル伝送方式により、前記画像信号及び前記表示制御信号の各々はパケット化された無線信号に変換され、前記外部と前記変換部との間で当該無線信号の受信が間欠的に行われるものである
ことを特徴とする電子機器。
【発明の詳細な説明】
【技術分野】
【０００１】
本発明は、各種情報の表示に用いて好適な電気光学装置及びそれを表示部に用いた電子
機器に関する。
【背景技術】
【０００２】
従来より、携帯電話などに代表される携帯端末装置の表示部には、電気光学装置の一例
としての液晶装置などが好適に用いられている。
【０００３】
そのような液晶装置は、一対の基板間に液晶が挟持されて構成される。例えば、アクテ
ィブマトリクス方式の液晶装置では、一対の基板のうち、一方の基板は、主に、データ線
と、そのデータ線に接続されるスイッチング素子と、そのスイッチング素子に接続される
画素電極と、画素電極及び走査線を駆動するドライバＩＣと、携帯端末装置内に搭載され
ＣＰＵ（central Processig Unit）やメモリなどを有する制御用ＩＣと当該ドライバＩＣ
とを複数の配線を通じて接続するフレキシブルプリント基板（ＦＰＣ）と、を有すると共
に、他方の基板は、走査線及びカラーフィルタ基板などを有する。
【０００４】
ここで、複数の配線には、複数の表示データ供給用配線、水平同期信号や垂直同期信号
やドットクロック信号などの各種の表示制御用配線、及び電力供給用配線などが含まれる
。
【０００５】
このような構成を有する液晶装置では、携帯端末装置内に搭載された制御用ＩＣ、例え
ばベースバンドエンジン（ＢＢＥ）などから、インターフェース部分としての複数の配線
及びＦＰＣを通じてドライバＩＣ側へ表示データや電力などが供給される。これにより、
携帯端末装置の表示部に所望の文字や画像を表示することが可能となっている。
【０００６】
また、この種の携帯端末装置として、例えば、制御信号伝送を行うバスと、データ受信
時には制御信号伝送を停止させる手段とを設けることにより、小型・軽量化を実現するこ
とが可能な携帯端末装置が提案されている（例えば、特許文献１を参照）。
【０００７】
【特許文献１】特開平５−１４５４０号公報
【発明の開示】
【発明が解決しようとする課題】
【０００８】
上記した携帯端末装置は、ドライバＩＣとＦＰＣとが複数の配線を通じて電気的に接続
されている。このため、その携帯端末装置の設計時に、その複数の配線を設置するための
スペースを確保する必要があり、或いは携帯端末装置の仕様や種類等によって複数の配線
のレイアウト方法を変える必要があるなど、様々な設計上の制約が伴いインターフェース
部分の設計の自由度が低下すると共に、携帯端末装置の小型化／軽量化を実現するのが困
難であるといった問題がある。
【０００９】
また、携帯端末装置内には様々な他の複数の配線や各種回路なども存在するため、それ
らから発せられるノイズが複数の配線に入り込み所望の画像が得られない虞がある。つま
り、複数の配線は、他の複数の配線や各種回路との間においてノイズによる干渉の問題が
存在する。
【００１０】
また、上記した特許文献１に記載の携帯端末装置は、その特許文献１で引用されている
従来型の携帯端末装置と比べ確かに省配線化されてはいるが、それでも、表示部と、それ
を制御する制御ＩＣとは複数の配線（即ち、コントロール線、データ線及びアドレス線）
を通じて接続された構成を有するので、上記した問題は未だ残る。
【００１１】
本発明は、以上の点に鑑みてなされたものであり、主として、インターフェース部分の
設計自由度の向上及び信号伝送に伴うノイズによる干渉問題を解消可能な電気光学装置及
びそれを用いた電子機器を提供することを課題とする。
【課題を解決するための手段】
【００１２】
本発明の１つの観点では、電気光学装置は、画像を表示するための表示部と、電源部と
、無線伝送方式に基づき外部から画像信号及び表示制御信号を含む無線信号を受信するア
ンテナを有し、前記アンテナから受信した前記無線信号を有線信号に変換する変換部と、
前記電源部及び前記変換部の各々に電気的に接続され、前記電源部から供給される電力並
びに前記変換部から出力される前記画像信号及び前記表示制御信号に基づき、前記表示部
に前記画像を表示する駆動回路と、を備える。
【００１３】
上記の電気光学装置は、文字や図形等の画像を表示するための表示部と、電源部と、無
線伝送方式に基づき、例えば電子機器の制御用回路（例えばベースバンドエンジン）など
の外部から表示すべき画像データに対応する画像信号及び水平同期信号や垂直同期信号や
ドットクロック信号などの表示制御信号を含む無線信号を受信するアンテナを有し、その
アンテナから受信した無線信号を有線信号に変換する変換部と、電源部及び変換部の各々
に電気的に接続され、その電源部から供給される電力、並びに、その変換部から出力され
る有線信号としての画像信号及び表示制御信号に基づき、表示部に画像を表示する、例え
ばドライバＩＣなどの駆動回路と、を備えている。
【００１４】
よって、この電気光学装置では、無電伝送方式に基づき外部からアンテナを含む変換部
を介して画像信号及び表示制御信号を駆動回路に出力することができると共に、電源部か
ら駆動回路に電力を供給することができ、駆動回路は画像を表示することができる。
【００１５】
このように、この電気光学装置ではデータの受信を行う変換部（以下、「インターフェ
ース部分」とも呼ぶ）を有線ではなく無線化しているので、そのインターフェース部分を
シンプルな構造とすることができる。即ち、インターフェース部分に複数の配線やノイズ
除去用フィルターなどを設ける必要がなくなる。よって、インターフェース部分の設計の
自由度を高めることができ、ひいては電気光学装置の設計の自由度を向上させることがで
きる。その結果、電気光学装置の小型化／軽量化を容易に実現することが可能となる。
【００１６】
好適な例では、前記電源部は、周知の電磁誘導による無接点型充電方式によって容易に
充電可能な電源と、前記電源から得られる電力を前記変換部及び前記駆動回路へ供給する
電源供給回路と、を有するのが好ましい。なお、電気光学装置に対する前記電源部の設定
位置について限定はなく、例えば、データ線、スイッチング素子及び画素電極を有するア
レイ基板と、そのアレイ基板に対向配置され、走査線や着色層を有する対向基板を有し、
且つ反射型表示モードを有する電気光学パネル等の場合であれば、対向基板の有効表示領
域と重なる位置に、当該電源部を配置することも可能である。また、その他の種類の電気
光学装置の場合には、有効表示領域の全体と重なる位置に薄型の電源部（例えばバッテリ
等）を配置した方が好ましい場合もある。
【００１７】
また、好適な例では、この電気光学装置は、前記駆動回路に電気的に接続され、前記駆
動回路からデータ信号が出力される、データ線などの複数の第１の配線と、前記駆動回路
に電気的に接続され、前記複数の第１の配線と交差する方向に延在し、前記駆動回路から
走査信号が出力される、例えば走査線などの複数の第２の配線と、前記複数の第１の配線
及び前記複数の第２の配線との交差位置に対応して設けられ、前記複数の第１の配線に電
気的に接続された複数の単位画素電極と、を備え、前記表示部は、前記複数の単位画素電
極が設けられた領域に対応しているのが好ましい。
【００１８】
上記の電気光学装置の一つの態様では、前記変換部は、所定の回路から出力された他の
有線信号を他の無線信号に変換する機能と、前記他の無線信号を前記アンテナを通じて前
記外部へ送信する機能と、を有する。
【００１９】
この態様では、変換部は、例えば駆動回路などの所定の回路から出力された他の有線信
号を他の無線信号に変換する機能を有する。そして、変換部は、他の無線信号をアンテナ
を通じて、例えば電子機器の制御用回路（例えばベースバンドエンジン）などの外部へ送
信する機能を有する。よって、この態様では、変換部は、外部及び所定の回路との間で双
方向通信を行うことができる。これにより、データ送受信時のデータの確度（例えば、エ
ラーの有無）を双方向通信により調べる、そのエラーを修正する等、通信の信頼性を向上
させることができる。また、この態様のように送信機能を備えることで、例えば後述する
電子決済システムを備えた他の機器などの外部への送信も可能になる。
【００２０】
上記の電気光学装置の一つの態様では、前記駆動回路と電気的に接続された、例えばフ
レキシブルプリント基板（ＦＰＣ）などの配線基板を有し、前記変換部は前記配線基板に
設けることができる。
【００２１】
上記の電気光学装置の他の態様では、前記変換部は前記駆動回路内に回路として組み込
まれ、前記アンテナは前記変換部から前記駆動回路の外面側へ引き出されている。または
、上記の電気光学装置の他の態様では、前記駆動回路は基板上に設けられ、前記変換部は
前記駆動回路内に回路として組み込まれ、前記アンテナは前記変換部から前記基板上に且
つ前記駆動回路の近傍位置に引き出されている。これらにより、上記の配線基板を設ける
必要がなくなるので、より一層、インターフェース部分を含む電気光学装置の設計の自由
度の向上が図れ、これにより電気光学装置の小型化／軽量化などを実現できる。
【００２２】
上記の電気光学装置の他の態様では、例えば携帯電話本体などの前記外部と前記変換部
との間では、前記無線伝送方式により、当該外部の通信用の周波数帯域（例えば、通話用
及びメール送受信用の周波数帯）と重ならない周波数帯域を用いて前記無線信号の受信が
行われる。これにより、外部内で生じる様々な不要なノイズが画像データ等の無線信号に
入り込み難くなる。また、外部が携帯電話本体の場合、携帯電話本体と変換部との間にお
いて画像データ等の受信を行うと同時に、携帯電話本体を用いて通話やメールの送受信を
行うときに、通話及びメール送受信の不要なノイズが画像データに入り込むのを防止でき
る。よって、画像データ等の信号伝送に伴うノイズによる干渉の問題を解消できる。
【００２３】
上記の電気光学装置の他の態様では、前記無線伝送方式はシリアル伝送方式であり、前
記シリアル伝送方式により、前記画像信号及び前記表示制御信号の各々はパケット化され
た無線信号に変換され、例えば携帯電話本体などの前記外部と前記変換部との間で当該無
線信号の受信が間欠的に行われる。このように、画像データ等の受信を間欠的に行うこと
で、電気光学装置の消費電力の低減化を実現できる。
【００２４】
本発明の他の観点では、電子機器は、上記の電気光学装置を搭載する表示ユニットと、
本体部と、を備え、前記表示ユニットと前記本体部とは相互に、少なくとも前記表示ユニ
ット及び前記本体部のいずれか一方に設けられた支持機構により着脱自在に取り付けられ
、前記本体部は、前記無線伝送方式に基づき、前記電気光学装置の前記変換部との間で前
記画像信号及び前記表示制御信号を含む前記無線信号の送信を行う他のアンテナを有し、
所定の回路から出力された他の有線信号を前記無線信号に変換する機能を有する他の変換
部と、前記画像信号及び前記表示制御信号を生成し、当該画像信号及び当該表示制御信号
を前記他の変換部に出力する制御用回路と、前記他の変換部及び前記制御用回路に電力を
供給する他の電源部と、を備える。
【００２５】
上記の電子機器としては、例えば携帯電話、携帯情報端末、パーソナルコンピュータ、
液晶テレビ、ビューファインダ型・モニタ直視型のビデオテープレコーダ、カーナビゲー
ション装置、ページャ、電子手帳、電卓、ワードプロセッサ、ワークステーション、テレ
ビ電話、ＰＯＳ端末、ディジタルスチルカメラなどが挙げられる。
【００２６】
この電子機器は、上記の電気光学装置を搭載する表示ユニットと、本体部と、を備えて
構成される。これにより、表示ユニットにおいて画像を表示することができる。そして、
表示ユニットと本体部とは相互に、少なくとも表示ユニット及び本体部のいずれか一方に
設けられた支持機構により着脱自在に取り付けられている。これにより、必要に応じて、
表示ユニットを本体部から取り外すことが可能となる。
【００２７】
また、本体部は、無線伝送方式に基づき、上記の電気光学装置の変換部との間で画像信
号及び表示制御信号を含む無線信号の送信を行う他のアンテナを有し、例えば、後述する
制御用回路（例えばベースバンドエンジン）などの所定の回路から出力された他の有線信
号を前記無線信号に変換する機能を有する他の変換部を有する。つまり、本体部は、電気
光学装置の変換部と、当該本体部の他の変換部との間で有線通信ではなく無線通信を行う
ことができる。
【００２８】
また、本体部は、画像信号及び表示制御信号を生成し、当該画像信号及び当該表示制御
信号を他の変換部に出力する、例えば各種メモリ、演算処理装置、レジスタなどを有する
ベースバンドエンジンなどの制御用回路を有する。即ち、制御用回路は、特に、生成した
画像信号及び表示制御信号を他の変換部に出力することができる。
【００２９】
また、本体部は、他の変換部及び制御用回路に電力を供給する他の電源部を有する。好
適な例では、他の電源部は、周知の電磁誘導による無接点型充電方式によって容易に充電
可能な電源と、その電源から得られる電力を他の変換部及び制御用回路へ供給する電源供
給回路と、を有するのが好ましい。これにより、他の電源部は他の変換部及び制御用回路
に電力を供給することができる。
【００３０】
このように、この電子機器では、表示ユニットと本体部との通信部分（以下、「インタ
ーフェース部分」とも呼ぶ）には、それぞれ、表示ユニットに搭載された電気光学装置の
アンテナを有する変換部と、本体部の他のアンテナを有する他の変換部が設けられており
、そのインターフェース部分は有線ではなく無線化されている。
【００３１】
これにより、電子機器においてインターフェース部分をシンプルな構造とすることがで
きる。即ち、インターフェース部分に複数の配線やノイズ除去用フィルターなどを設ける
必要がなくなる。よって、支持機構付近、即ちインターフェース部分の設計の自由度を高
めることができ、ひいては電気光学装置及び電子機器の設計の自由度を向上させることが
できる。その結果、電気光学装置及び電子機器の小型化／軽量化を容易に実現することが
可能となる。
【００３２】
また、変換部は、外部及び所定の回路との間で双方向通信を行うことができるので、デ
ータ送受信時のデータの確度（例えば、エラーの有無）を双方向通信により調べる、その
エラーを修正する等、通信の信頼性を向上させることができる。
【００３３】
好適な例では、前記他の変換部は、前記表示ユニットの前記変換部から送信された他の
無線信号を他のアンテナを通じて受信し、対応する有線信号に変換する機能と、当該有線
信号を前記制御用回路に出力する機能と、を有するのが好ましい。これにより、他の変換
部は、表示ユニットの変換部との間で双方向通信を行うことができる。よって、データ送
受信時のデータの確度（例えば、エラーの有無）を双方向通信により調べる、そのエラー
を修正する等、通信の信頼性を向上させることができる。
【００３４】
また、好適な例として、この無線伝送方式では、アンテナを有する変換部と、他のアン
テナを有する他の変換部との間では、電子機器の通話用及びメール送受信用の周波数帯域
と重ならない周波数帯域を用いて無線信号の送信及び／又は受信が行われるのが好ましい
。これにより、電子機器内で生じる様々な不要なノイズが画像データ等の無線信号に入り
込み難くなる。また、電子機器が携帯電話の場合、本体部の他の変換部と表示ユニットの
変換部との間において画像データ等の送信及び／又は受信を行うと同時に、携帯電話を用
いて通話やメールの送受信を行うときに、通話及びメール送受信の不要なノイズが画像デ
ータに入り込むのを防止できる。よって、画像データ等の信号伝送に伴うノイズによる干
渉の問題を解消することができる。また、この無線伝送方式はシリアル伝送方式とするこ
とができ、そのシリアル伝送方式により、画像信号及び表示制御信号の各々はパケット化
された無線信号に変換され、本体部の他の変換部と、表示ユニットの変換部との間で当該
無線信号の送信及び／又は受信が間欠的に行われるのが好ましい。このように、画像デー
タ等の送信及び／又は受信を間欠的に行うことで、電子機器の消費電力の低減化を実現で
きる。
【００３５】
また、この電子機器では、本体部には他の電源部が設けられていると共に、表示ユニッ
ト内にも、上記の他の電源部と別個独立の電源部が設けられている。これにより、１つの
電源部を表示ユニット及び本体部のいずれか一方に設けて、当該表示ユニット及び当該本
体部に電力を供給する比較例と比較して、電源部及び他の電源部の寿命を夫々約２倍程度
向上させることができ、消費電力の低減化を実現できる。また、これにより、本体部内の
制御用回路側から表示ユニットへは画像信号及び表示制御信号のみ送信すれば良くなり、
無線通信の高速化を実現できる。
【００３６】
また、上記したように表示ユニットと本体部とは支持機構によって着脱自在に取り付け
られているので、必要に応じて、表示ユニットを本体部から取り外すことが可能となる。
【００３７】
したがって、これらを実現できると今後、ユーザーは本体部の操作（例えば、電子機器
が携帯電話の場合、本体部に設けられる操作キーを操作）をするとき以外には当該本体部
をポケットなどに入れておき、メール及び電話の着信状態等の表示画像をいつでも見れる
ように表示ユニットのみを持ち歩いたり、或いは、本体部を操作した後に表示ユニットの
みを用いて玄関の鍵システムに所定の電波を送信することにより電子的に玄関の鍵の開閉
操作を行ったり、或いは、本体部を操作した後に自動販売機やレジなどに取り付けられた
電子決済システムに表示ユニットのみを近づけて当該電子決済システムに所定の電波を送
信することにより電子決済（電子マネー機能）をしたりするなど、電子機器の使用方法の
バリエーションが広がる。
【００３８】
また、本発明の他の観点では、電子機器は、電気光学装置を搭載する表示ユニットと本
体部と、を備え、前記表示ユニットと前記本体部とは相互に、少なくとも当該表示ユニッ
ト及び前記本体部のいずれか一方に設けられた支持機構により着脱自在に取り付けられ、
前記電気光学装置は、画像を表示するための表示部と、電源部と、無線伝送方式に基づき
外部から画像信号及び表示制御信号を含む無線信号を受信するアンテナを有し、前記アン
テナから受信した前記無線信号を有線信号に変換する変換部と、前記電源部及び前記変換
部の各々に電気的に接続され、前記電源部から供給される電力並びに前記変換部から出力
される前記画像信号及び前記表示制御信号に基づき、前記表示部に前記画像を表示する駆
動回路と、を有し、前記本体部は、前記無線伝送方式に基づき、前記電気光学装置の前記
変換部との間で前記画像信号及び前記表示制御信号を含む前記無線信号の送信を行う他の
アンテナを有し、所定の回路から出力された他の有線信号を前記無線信号に変換する機能
を有する他の変換部と、前記画像信号及び前記表示制御信号を生成し、当該画像信号及び
当該表示制御信号を前記他の変換部に出力する制御用回路と、前記他の変換部及び前記制
御用回路に電力を供給する他の電源部と、を有する。
【００３９】
上記の電位機器としては、例えば携帯電話、携帯情報端末、パーソナルコンピュータ、
液晶テレビ、ビューファインダ型・モニタ直視型のビデオテープレコーダ、カーナビゲー
ション装置、ページャ、電子手帳、電卓、ワードプロセッサ、ワークステーション、テレ
ビ電話、ＰＯＳ端末、ディジタルスチルカメラなどが挙げられる。
【００４０】
この電子機器は、電気光学装置を搭載する表示ユニットと、本体部と、を備えて構成さ
れる。
【００４１】
そして、表示ユニットと本体部とは相互に、少なくとも表示ユニット及び本体部のいず
れか一方に設けられた支持機構により着脱自在に取り付けられている。これにより、必要
に応じて、表示ユニットを本体部から取り外すことが可能となる。
【００４２】
ここで、電気光学装置は、文字や図形等の画像を表示するための表示部と、電源部と、
無線伝送方式に基づき、この電子機器の制御用回路（ベースバンドエンジンなど）として
の外部から、表示すべき画像データに対応する画像信号及び水平同期信号や垂直同期信号
やドットクロック信号などの表示制御信号を含む無線信号を受信するアンテナを有し、そ
のアンテナから受信した無線信号を有線信号に変換する変換部と、電源部及び変換部の各
々に電気的に接続され、その電源部から供給される電力、並びに、その変換部から出力さ
れる有線信号としての画像信号及び表示制御信号に基づき、表示部に画像を表示する、例
えばドライバＩＣなどの駆動回路と、を備えている。これにより、表示ユニットにおいて
画像を表示することができる。好適な例では、電源部は、周知の電磁誘導による無接点型
充電方式によって容易に充電可能な電源と、その電源から得られる電力を変換部及び駆動
回路へ供給する電源供給回路と、を有するのが好ましい。
【００４３】
また、本体部は、無線伝送方式に基づき、この電気光学装置の変換部との間で画像信号
及び表示制御信号を含む無線信号の送受信を行う他のアンテナを有し、例えば、後述する
制御用回路（例えばベースバンドエンジン）などの所定の回路から出力された他の有線信
号を前記無線信号に変換する機能を有する他の変換部を有する。つまり、本体部は、電気
光学装置の変換部と、当該本体部の他の変換部との間で有線通信ではなく無線通信を行う
ことができる。
【００４４】
また、本体部は、画像信号及び表示制御信号を生成し、当該画像信号及び当該表示制御
信号を他の変換部に出力する、例えば各種メモリ、演算処理装置、レジスタなどを有する
ベースバンドエンジンなどの制御用回路を有する。即ち、制御用回路は、特に、生成した
画像信号及び表示制御信号を他の変換部に出力することができる。
【００４５】
また、本体部は、他の変換部及び制御用回路に電力を供給する他の電源部を有する。好
適な例では、他の電源部は、周知の電磁誘導による無接点型充電方式によって容易に充電
可能な電源と、その電源から得られる電力を他の変換部及び制御用回路へ供給する電源供
給回路と、を有するのが好ましい。これにより、他の電源部は他の変換部及び制御用回路
に電力を供給することができる。
【００４６】
このように、この電子機器では、表示ユニットと本体部との通信部分（以下、「インタ
ーフェース部分」とも呼ぶ）には、それぞれ、表示ユニットに搭載された電気光学装置の
アンテナを有する変換部と、本体部の他のアンテナを有する他の変換部が設けられており
、そのインターフェース部分は有線ではなく無線化されている。
【００４７】
これにより、電子機器においてインターフェース部分をシンプルな構造とすることがで
きる。即ち、インターフェース部分に複数の配線やノイズ除去用フィルターなどを設ける
必要がなくなる。よって、支持機構付近、即ちインターフェース部分の設計の自由度を高
めることができ、ひいては電気光学装置及び電子機器の設計の自由度を向上させることが
できる。その結果、電気光学装置及び電子機器の小型化／軽量化を容易に実現することが
可能となる。
【００４８】
また、好適な例として、この無線伝送方式では、アンテナを有する変換部と、他のアン
テナを有する他の変換部との間では、電子機器の通話用及びメール送受信用の周波数帯域
と重ならない周波数帯域を用いて無線信号の送信及び／又は受信が行われるのが好ましい
。これにより、電子機器内で生じる様々な不要なノイズが画像データ等の無線信号に入り
込み難くなる。また、電子機器が携帯電話の場合、本体部の他の変換部と表示ユニットの
変換部との間において画像データ等の送信及び／又は受信を行うと同時に、携帯電話を用
いて通話やメールの送受信を行うときに、通話及びメール送受信の不要なノイズが画像デ
ータに入り込むのを防止できる。よって、画像データ等の信号伝送に伴うノイズによる干
渉の問題を解消することができる。また、この無線伝送方式はシリアル伝送方式とするこ
とができ、そのシリアル伝送方式により、画像信号及び表示制御信号の各々はパケット化
された無線信号に変換され、本体部の他の変換部と、表示ユニットの変換部との間で当該
無線信号の送信及び／又は受信が間欠的に行われるのが好ましい。このように、画像デー
タ等の送信及び／又は受信を間欠的に行うことで、電子機器の消費電力の低減化を実現で
きる。
【００４９】
また、この電子機器では、本体部には他の電源部が設けられていると共に、表示ユニッ
ト内にも、上記の他の電源部と別個独立の電源部が設けられている。これにより、１つの
電源部を表示ユニット及び本体部のいずれか一方に設けて、当該表示ユニット及び当該本
体部に電力を供給する比較例と比較して、電源部及び他の電源部の寿命を夫々約２倍程度
向上させることができ、消費電力の低減化を実現できる。また、これにより、本体部内の
制御用回路側から表示ユニットへは画像信号及び表示制御信号のみ送信すれば良くなり、
無線通信の高速化を実現できる。
【００５０】
好適な例では、電気光学装置に設けられた駆動回路と電気的に接続された、例えばフレ
キシブルプリント基板（ＦＰＣ）などの配線基板を有し、変換部は配線基板に設けること
ができる。また、好適な例では、その変換部は駆動回路内に回路として組み込まれ、その
アンテナは変換部から駆動回路の外面側へ引き出されているのが好ましい。または、その
駆動回路は基板上に設けられ、その変換部は駆動回路内に回路として組み込まれ、そのア
ンテナは変換部から基板上に且つ駆動回路の近傍位置に引き出されているのが好ましい。
これらにより、上記のような配線基板を設ける必要がなくなるので、より一層、インター
フェース部分を含む電子機器の設計の自由度の向上が図れ、これにより電子機器の小型化
／軽量化などに貢献し得る。
【００５１】
また、好適な例では、この電気光学装置は、駆動回路に電気的に接続され、その駆動回
路からデータ信号が出力される、データ線などの複数の第１の配線と、その駆動回路に電
気的に接続され、複数の第１の配線と交差する方向に延在し、その駆動回路から走査信号
が出力される、例えば走査線などの複数の第２の配線と、複数の第１の配線及び複数の第
２の配線との交差位置に対応して設けられ、複数の第１の配線に電気的に接続された複数
の単位画素電極と、を備え、表示部は、複数の単位画素電極が設けられた領域に対応して
いるのが好ましい。
【００５２】
上記の電子機器の一つの態様では、前記変換部は、所定の回路から出力された有線信号
を無線信号に変換する機能と、当該無線信号を前記アンテナを通じて前記他の変換部を含
む前記外部へ送信する機能と、を有すると共に、前記他の変換部は、前記表示ユニットの
前記変換部から送信された当該無線信号を他のアンテナを通じて受信し、当該有線信号に
変換する機能と、当該有線信号を前記制御用回路に出力する機能と、を有する。これによ
り、本体部の他の変換部等と、表示ユニットの変換部との間において双方向通信を行うこ
とができる。よって、データ送受信時のデータの確度（例えば、エラーの有無）を双方向
通信により調べる、そのエラーを修正する等、通信の信頼性を向上させることができる。
【００５３】
したがって、これらを実現できると今後、ユーザーは本体部の操作（例えば、電子機器
が携帯電話の場合、本体部に設けられる操作キーを操作）をするとき以外には当該本体部
をポケットなどに入れておき、メール及び電話の着信状態等の表示画像をいつでも見れる
ように表示ユニットのみを持ち歩いたり、或いは、本体部を操作した後に表示ユニットの
みを用いて玄関の鍵システムに所定の電波を送信することにより電子的に玄関の鍵の開閉
操作を行ったり、或いは、本体部を操作した後に自動販売機やレジなどに取り付けられた
電子決済システムに表示ユニットのみを近づけて当該電子決済システムに所定の電波を送
信することにより電子決済（電子マネー機能）をしたりするなど、電子機器の使用方法の
バリエーションが広がる。
【発明を実施するための最良の形態】
【００５４】
以下、図面を参照して本発明を実施するための最良の形態について説明する。以下の各
実施形態は、本発明を、電子機器の一例としての携帯電話機器に、また、その携帯電話機
器に搭載される電気光学装置の一例としての液晶装置に夫々適用したものである。
【００５５】
[携帯電話機器の構成]
まず、図１及び図２を参照して、本発明の実施形態に係る液晶装置を搭載する携帯電話
機器の構成について説明する。
【００５６】
図１（ａ）は、本発明の液晶装置５０を搭載する携帯電話機器１００の正面図を示す。
携帯電話機器１００は、表示ユニット８０と本体部８１を備えて構成される。表示ユニ
ット８０は、本体部８１に取り付けられた支持機構８１ｂに着脱自在に取り付けられる。
即ち、支持機構８１ｂは、表示ユニット８０と本体部８１とを相互に着脱自在に取り付け
る機能を有する。図１（ｂ）には、必要に応じて、表示ユニット８０を本体部８１から取
り外した状態が示されている。また、支持機構８１ｂは、かかる機能の他にも、表示ユニ
ット８０を本体部８１に装着した状態において、その両者を相対的に回転させる機能をも
有する。かかる機能により、支持機構８１ｂを回転軸として、表示ユニット８０と本体部
８１とを相対的に回転させることで、表示ユニット８０を本体部８１側に折り畳んだり、
或いは表示ユニット８０を本体部８１から開いたりすることが可能となっている。
【００５７】
表示ユニット８０は、液晶装置５０などを収容する筺体８０ａと、その液晶装置５０の
有効表示領域Ｖ（図２及び図３等を参照）が配置され、文字や画像などを表示する領域と
なる表示部８０ｂと、通話の際に相手方より受信される音声を発音する受話部８０ｃと、
基地局などとの間で無線信号を送受信する送受信用アンテナ８０ｄと、を有する。一方、
本体部８１は、各種の回路基板等を収容する筺体８１ａと、その筐体８１ａの一端側に設
けられ、上記した機能を有する支持機構８１ｂと、電話番号発信やメールの送受信などの
各種の操作を行うための複数の操作キー８１ｃと、通話の際に相手方に送信される音声を
検出する送話部８１ｄと、を有する。
【００５８】
次に、図２を参照して、本発明に関連する携帯電話機器１００の回路構成について説明
する。図２は、本発明に関連する携帯電話機器１００の回路構成を概略的に示すブロック
図である。
【００５９】
表示ユニット８０は、本実施形態に係る液晶装置５０を、その有効表示領域Ｖを表示部
８０ｂに配置した状態で収容している。液晶装置５０の詳細構成は後述するが、当該液晶
装置５０は、主に、文字や画像が表示される有効表示領域Ｖと、表示データが供給される
データ線３２と、走査信号が供給される走査線８と、それらの配線にデータ信号及び走査
信号を夫々供給するドライバＩＣ３３と、を有する（図３も参照）。ドライバＩＣ３３は
、複数の外部接続用配線３５を介してフレキシブルプリント基板３４（以下、「ＦＰＣ３
４」と称する）に接続されている（図３も参照）。また、ドライバＩＣ３３は電源部７０
から電力６５が供給されるようになっている。ここで、電源部７０は、周知の電磁誘導に
よる無接点型充電方式によって容易に充電可能な電源（図示略）と、その電源から得られ
る電力６５を、ドライバＩＣ３３と、当該ドライバＩＣ３３を通じて後述の送受信用アン
テナ８０ｈを有する変換部（送受信部）８０ｆへ供給する電源供給回路（図示略）と、を
有しているのが好ましい。ＦＰＣ３４には、本体部８１との間で無線信号６４の送受信を
行うための送受信用アンテナ８０ｈを有する変換部８０ｆが設けられている。一方、本体
部８１は、携帯電話機器１００内の各種機能を制御する、各種メモリ、演算処理装置及び
レジスタを含む制御用回路としてのベースバンドエンジン（ＢＢＥ）８１ｅと、表示ユニ
ット８０との間で無線信号６４の送受信を行うための送受信用アンテナ８１ｈを有する変
換部（送受信部）８１ｆと、電源部８１ｇと、を有する。ベースバンドエンジン８１ｅは
、表示情報出力回路８１ｅａ及び液晶駆動回路８１ｅｂなどを有する。電源部８１ｇは、
周知の電磁誘導による無接点型充電方式によって容易に充電可能な電源（図示略）と、そ
の電源から得られる電力を変換部８１ｆ及びベースバンドエンジン８１ｅに夫々電力６２
を供給する電源供給回路（図示略）と、を有しているのが好ましい。
【００６０】
次に、以上の構成を有する携帯電話機器１００の駆動方法について述べる。
【００６１】
まず、ユーザーによる操作キー８１ｃからの操作指示に基づき、表示情報出力回路８１
ｅａは、表示データ信号（画像信号）６０と表示制御信号６１を液晶駆動回路８１ｅｂに
出力する。ここで、表示データ信号６０は、表示すべき画像データに対応するデータであ
り、表示制御信号６１は、水平同期信号や垂直同期信号やドットクロック信号などの各種
の制御用信号に対応している。続いて、液晶駆動回路８１ｅｂは、表示情報出力回路８１
ｅａからの表示データ信号６０及び表示制御信号６１を夫々取得すると、データ信号、ク
ロック信号及び垂直同期信号などの各種の信号６３を変換部８１ｆへ出力する。
【００６２】
続いて、変換部８１ｆは、液晶駆動回路８１ｅｂからの各種の信号６３を取得すると、
有線信号としての当該各種の信号６３を無線信号６４に変換し、かかる無線信号６４を送
受信用アンテナ８１ｈを通じて、表示ユニット８０の送受信用アンテナ８０ｈへ送信する
。
【００６３】
ここで、無線伝送方式は、周知の各種の方法を採用することができる。但し、表示ユニ
ット８０の変換部８０ｆと、本体部８１の変換部８１ｆとの間では、この無線伝送方式に
より、携帯電話機器１００の通話用及びメール送受信用の周波数帯などと重ならない周波
数帯域を用いて無線信号６４の送受信が行われる。
【００６４】
続いて、変換部８０ｆは、送受信用アンテナ８０ｈを通じて無線信号６４を受信すると
、その無線信号６４を上記したデータ信号、クロック信号及び垂直同期信号などの各種の
信号（有線信号）６３に変換（復号）し、当該各種の信号６３を複数の外部接続用配線３
５を介してドライバＩＣ３３へ出力する。続いて、ドライバＩＣ３３は、各種の信号６３
に含まれるクロック信号に基づいて、ｎ本のデータ線Ｓ１〜Ｓｎに画像信号を供給すると
共に、各種の信号６４に含まれるクロック信号及び垂直同期信号に基づいて走査線Ｇ１〜
Ｇｍを順次走査する。こうして、有効表示領域Ｖ、即ち図１の表示部８０ｂに所望の文字
や画像が表示される。
【００６５】
なお、本例では、表示ユニット８０の変換部８０ｆは、ドライバＩＣ３３から出力され
た所定の有線信号を所定の無線信号に変換する機能も有し、その無線信号を送受信用アン
テナ８０ｈを通じて本体部８１の変換部８１ｆや外部へ送信することもできる。また、本
体部８１の変換部８１ｆは、表示ユニット８０の変換部８０ｆや外部から送信された所定
の無線信号を所定の有線信号に変換する機能も有し、その有線信号を送受信用アンテナ８
１ｈを通じてベースバンドエンジン８１ｅへ出力することもできる。さらに、ベースバン
ドエンジン８１ｅは、その有線信号を取得することができる。なお、本発明では、上記の
構成に限定されず、例えば、上記の構成において送受信用アンテナ８０ｈを受信用アンテ
ナに代えると共に、送受信用アンテナ８１ｈを送信用アンテナに代えることも可能であり
、これに対応して、本体部８１の変換部８１ｆは、ベースバンドエンジン８１ｅ側から出
力された有線信号を無線信号に変換し、その有線信号を変換部８０ｆへ送信する機能を備
え、表示ユニット８０の変換部８０ｆは、その変換部８１ｆから送信された無線信号を有
線信号に変換し、その有線信号を複数の外部接続用配線３５を介してドライバＩＣ３３へ
出力する機能のみを備える構成としてもよい。また、携帯電話機器１００は、上記した機
能以外にもカメラ撮像機能やメール送受信機能など様々な機能を有するが、この点は省略
する。
【００６６】
[液晶装置の構成]
次に、上記した携帯電話機器１００に適用される液晶装置５０の構成について詳述する
。なお、以下では、１つのサブ画素領域ＳＧ内に存在する１つの表示領域を「サブ画素」
と称し、また、１つの画素領域ＡＧ内に対応する表示領域を「１画素」と称することもあ
る。
【００６７】
図３は、本実施形態に係る液晶装置５０の概略構成を模式的に示す平面図である。図３
では、説明の便宜上、紙面上方向をＹ方向と、また、紙面右方向をＸ方向と夫々規定する
。ここに、本実施形態の液晶装置５０は、ＴＦＤ（Thin Film Diode）素子を用いたアク
ティブマトリクス駆動方式であって、透過型の液晶装置である。図４は、図３の切断線Ａ
−Ａ’に沿った液晶装置５０の断面図であり、特に、１つのＸ方向に列をなすサブ画素群
を通る位置で切断した液晶装置５０の断面図である。
【００６８】
まず、図４を参照して、液晶装置５０の断面構成について説明する。
【００６９】
液晶装置５０は、素子基板９１と、その素子基板９１に対向して配置されるカラーフィ
ルタ基板９２とが枠状のシール材３を介して貼り合わされ、その枠状のシール材３により
区画される領域に液晶が挟持され液晶層４が形成されてなる。枠状のシール材３には、複
数の金属粒子などの導通部材７が混入されている。
【００７０】
絶縁性を有する下側基板１の内面上には、サブ画素領域ＳＧ毎にＩＴＯ（Indium Tin O
xide）等の透明導電材料よりなる画素電極１０が形成されている。下側基板１の内面上で
あって、相隣接する画素電極１０の間にはクロム等よりなるデータ線３２が形成されてい
る。画素電極１０及びデータ線３２等の内面上には、ポリイミド樹脂等の有機材料からな
る配向膜１９が形成されている。
【００７１】
一方、絶縁性を有する上側基板２の内面上には、サブ画素領域ＳＧ毎に、Ｒ（赤）、Ｇ
（緑）、Ｂ（青）の３色のうち、いずれか１色からなる着色層６Ｒ、６Ｇ、及び６Ｂが形
成されている。着色層６Ｒ、６Ｇ及び６Ｂによりカラーフィルタが構成される。１つの画
素領域ＡＧは、Ｒ、Ｇ、Ｂのサブ画素から構成されるカラー１画素分の領域を示している
。なお、以下の説明において、色を問わずに着色層を指す場合は単に「着色層６」と記し
、色を区別して着色層を指す場合は「着色層６Ｒ」などと記す。上側基板２の内面上であ
って、各サブ画素領域ＳＧを区画する位置等には、隣接するサブ画素領域ＳＧを隔て、一
方のサブ画素から他方のサブ画素への光の混入を防止するため、遮光性を有するブラック
マトリックス（以下、単に「ＢＭ」と称する）が形成されている。
【００７２】
着色層６及びＢＭの内面上には、アクリル樹脂等からなるオーバーコート層１８が形成
されている。このオーバーコート層１８は、液晶装置５０の製造工程中に使用される薬剤
等による腐食や汚染から、着色層６等を保護する機能を有する。オーバーコート層１８の
内面上には、ＩＴＯなどの透明導電材料よりなる短冊状の形状を有する走査線８が形成さ
れている。走査線８の内面上には、ポリイミド樹脂等の有機材料からなる配向膜１６が形
成されている。
【００７３】
また、走査線８の一端はシール材３内に位置しており、そのシール材３内の導通部材７
と電気的に接続されている。下側基板１の内面上の左右周縁部にはクロム等からなる配線
３１が形成されている。配線３１の一端はシール材３内に位置しており、シール材３内に
混入された導通部材７と電気的に接続されている。そして、下側基板１の配線３１と、上
側基板２の走査線８とは、シール材３内に混入された導通部材７を介して上下導通してい
る。
【００７４】
また、下側基板１の外面上には偏光板１３が配置されていると共に、上側基板２の外面
上には偏光板１２が配置されている。偏光板１３の外面上には、照明装置としてのバック
ライト１５が配置されている。バックライト１５としては、例えば、ＬＥＤ（Light Emit
ting Diode）等といった点状光源や、冷陰極蛍光管等といった線状光源、或いはこれと導
光板とを組み合わせたものなどが好適である。
【００７５】
以上の構成を有する液晶装置５０において透過型表示がなされる場合、バックライト１
５から出射した照明光は、図４に示す経路Ｔに沿って進行し、着色層６及び画素電極１０
等を通過して観察者に至る。この場合、その照明光は、着色層６を透過することにより、
所定の色相及び明るさを呈する。こうして、所望のカラー表示画像が観察者により視認さ
れる。
【００７６】
（回路構成）
次に、図３、図５及び図６を参照して、素子基板９１及びカラーフィルタ基板９２の電
極及び配線を含む回路構成について説明する。図５は、素子基板９１を正面方向（即ち、
図４における上方）から観察したときの素子基板９１の回路構成を平面図として示す。図
６は、カラーフィルタ基板９２を正面方向（即ち、図４における下方）から観察したとき
のカラーフィルタ基板９２の回路構成を平面図として示す。また、図５及び図６において
、電極や配線以外のその他の要素は説明の便宜上図示を省略している。
【００７７】
図３において、素子基板９１の画素電極１０と、カラーフィルタ基板９２の走査線８と
の交差する領域が表示の最小単位である１つのサブ画素領域ＳＧを構成する。そして、こ
のサブ画素領域ＳＧが紙面縦方向及び紙面横方向に複数個、マトリクス状に並べられた領
域が有効表示領域Ｖ（２点鎖線により囲まれる領域）である。この有効表示領域Ｖに、文
字、数字、図形等の画像が表示される。なお、図３及び図５において、液晶装置５０の外
周と、有効表示領域Ｖとによって区画された領域は、画像表示に寄与しない額縁領域３８
となっている。
【００７８】
素子基板９１の電極及び配線を含む回路構成は次の通りである。
【００７９】
図５に示すように、素子基板９１は、ＴＦＤ素子２１、画素電極１０、複数の配線３１
、複数のデータ線３２、ドライバＩＣ３３、電源部７０、及び複数の外部接続用端子３５
を備えている。
【００８０】
素子基板９１は、カラーフィルタ基板９２の一端側から外側に張り出してなる張り出し
領域３６を有する。張り出し領域３６上には、ドライバＩＣ３３が例えばＡＣＦ（Anisot
ropic Conductive Film：異方性導電膜）を介して、それぞれ実装されている。なお、図
５では、説明の便宜上、素子基板９１の張り出し領域３６側の一辺９１ａから反対側の辺
９１ｃへ向かう方向をＹ方向とし、辺９１ｄから反対側の辺９１ｂへ向かう方向をＸ方向
とする。
【００８１】
張り出し領域３６上には、複数の外部接続用端子３５が形成されている。ドライバＩＣ
３３の各入力端子（図示略）は、導電性を有するバンプを介して、その複数の外部用接続
端子３５にそれぞれ接続されている。外部接続用端子３５は、ＡＣＦや半田などを介して
、ＦＰＣ３４に接続されている。ＦＰＣ３４には、上記した無線信号６４の送受信を行う
ための送受信用アンテナ８０ｈを含む変換部８０ｆが設けられている。
【００８２】
ドライバＩＣ３３の各出力端子（図示略）は、導電性を有するバンプを介して、複数の
データ線３２及び複数の配線３１に夫々電気的に接続されている。これにより、ドライバ
ＩＣ３３は、データ線３２にデータ信号を、また、走査線８に走査信号を夫々供給するこ
とが可能となっている。
【００８３】
電源部７０は、上記したように電源及び電源供給回路を有するのが好ましく、さらに、
電位供給用配線７１及び接地用配線７２を有する。電源部７０は、有効表示領域Ｖと重な
らない領域に設けられ、本例では張り出し領域３６上に且つドライバＩＣ３３の近傍位置
に設けられている。なお、本発明では、液晶装置５０に対する電源部７０の設定位置につ
いて限定はない。例えば、反射型表示モードを有する液晶装置の場合であれば、カラーフ
ィルタ基板９２の有効表示領域Ｖと重なる位置に、当該電源部７０を配置することも可能
である。また、その他の種類の液晶装置の場合には、有効表示領域Ｖの全体と重なる位置
に薄型の電源部７０（例えばバッテリ等）を配置した方が好ましい場合もある。電位供給
用配線７１及び接地用配線７２は、夫々ドライバＩＣ３３に電気的に接続されている。こ
れにより、電源部７０はドライバＩＣ３３及び当該ドライバＩＣ３３を通じて変換部８０
ｆに夫々所定の電力を供給することが可能となっている。
【００８４】
複数のデータ線３２は、紙面縦方向に延在する直線状の配線であり、張り出し領域３６
から有効表示領域ＶにかけてＸ方向に延在するように形成されている。各データ線３２は
、Ｘ方向に一定の間隔を置いて形成され、対応する各ＴＦＤ素子２１に電気的に接続され
ている。各ＴＦＤ素子２１は、対応する各画素電極１０に接続されている。
【００８５】
複数の配線３１は、本線部分３１ａと、その本線部分３１ａの終端からシール材３側に
折れ曲がる折れ曲がり部分３１ｂとにより構成されている。各本線部分３１ａは、額縁領
域３８内を張り出し領域３６からＹ方向に延在するように形成されている。各折れ曲がり
部分３１ｂの一端（終端）は、紙面左側又は紙面右側に存在するシール材３内に位置して
おり、そのシール材３内に混入された導通部材７と電気的に接続されている。
【００８６】
次に、カラーフィルタ基板９２の電極を含む回路構成は次の通りである。
【００８７】
図６に示すように、カラーフィルタ基板９２は、Ｘ方向に延在する短冊状の走査線８を
複数有する。各走査線８の左端部或いは右端部は、図３及び図６に示すように、シール材
３内に位置しており、そのシール材３内の導通部材７と電気的に接続されている。
【００８８】
以上に述べた、カラーフィルタ基板９２と素子基板９１とがシール材３を介して貼り合
わせられた状態が図３に示されている。同図に示すように、カラーフィルタ基板９２の各
走査線８は、素子基板９１の各データ線３２に対して略直交しており、Ｘ方向に列をなす
複数の画素電極１０と平面的に重なり合っている。このように、走査線８と画素電極１０
とが重なり合う領域がサブ画素領域ＳＧを構成する。
【００８９】
また、カラーフィルタ基板９２の走査線８と、素子基板９１の配線３１とは、図示のよ
うに左辺側と右辺側との間で交互に重なり合っており、その走査線８と配線３１とは、シ
ール材３内の導通部材７を介して上下導通している。つまり、各走査線８と各配線３１と
の導通は、図示のように左辺側と右辺側との間で交互に実現されている。これにより、カ
ラーフィルタ基板９２の走査線８は、素子基板９１の配線３１を介してドライバＩＣ３３
に電気的に接続されている。
【００９０】
次に、比較例と比較した、本発明の実施形態に係る特有の作用効果について説明する。
【００９１】
その前にまず、図７を参照して、比較例に係る携帯電話機器７００の構成について簡単
に説明する。なお、以下では、本実施形態の要素と同一の要素については同一の符号を付
し、その説明は簡略化又は省略する。
【００９２】
携帯電話機器７００は、表示ユニット７０１と本体部７０２とを備えて構成される。
【００９３】
表示ユニット７０１は、液晶装置８００と、その液晶装置８００に設けられたドライバ
ＩＣ３３に複数の外部接続用配線３５を介して電気的に接続されたＦＰＣ３４と、ＦＰＣ
３４の一端側に設けられたコネクタ７５と、を有する。
【００９４】
ここで、液晶装置８００は、本実施形態に係る液晶装置５０と略同様の構成を有するが
、当該液晶装置８００には電源部７０が設けられていない。また、ＦＰＣ３４には、本実
施形態の送受信用アンテナ８０ｈを含む変換部８０ｆは設けられていない。その代わりに
、比較例では、ＦＰＣ３４にはコネクタ７５が設けられている。一方、本体部８１は、本
実施形態と同様の構成を備えるベースバンドエンジン８１ｅ及び電源部８１ｇと、コネク
タ７６とを有する。但し、本体部８１には、本実施形態の送受信用アンテナ８１ｈを含む
変換部８１ｆは設けられていない。表示ユニット７０１のコネクタ７５と、本体部７０２
のコネクタ７６とは複数の配線７７を通じて電気的に接続されている。複数の配線７７に
は、電源ラインを構成する電位供給用配線及び接地用配線や、表示データ信号供給用配線
や、水平同期信号や垂直同期信号やドットクロック信号などの表示制御信号供給用配線な
どの各種配線が含まれる。表示ユニット７０１のコネクタ７５側に位置する複数の配線７
７の一端側には、ノイズ除去用フィルター７８が設けられている。これは、携帯電話機器
７００内で発生するノイズが各種の配線７７に入り込んだ場合に、そのノイズを除去する
ためである。
【００９５】
次に、比較例に係る携帯電話機器７００の駆動方法について述べる。
【００９６】
まず、ユーザーによる操作キーからの操作指示に基づき、液晶駆動回路８１ｅｂは、表
示情報出力回路８１ｅａから表示データ信号６０及び表示制御信号６１を夫々取得すると
、データ信号、クロック信号及び垂直同期信号などの各種の信号６３を、コネクタ７６、
複数の配線７７、ノイズ除去用フィルター７８、コネクタ７５、ＦＰＣ３４及び複数の外
部接続用配線３５を夫々介してドライバＩＣ３３へ出力する。ここで、各種の信号６３の
伝送方式としては、例えば、シリアル伝送方式や、一般的なシリアル伝送方式と比べ数十
Ｍビット／秒と高速の信号伝送が可能なパラレル伝送方式や、数百Ｍビット／秒以上と高
速の信号伝送が可能なＬＶＤＳ（Low Voltage Differential Signaling）伝送方式などの
周知の伝送方式が挙げられる。続いて、ドライバＩＣ３３は、各種の信号６３に含まれる
クロック信号に基づいて、複数のデータ線３２に画像信号を供給すると共に、各種の信号
６３に含まれるクロック信号及び垂直同期信号に基づいて、複数の走査線８を順次走査す
る。こうして、有効表示領域Ｖ、即ち表示ユニット７０１の表示部（図示略）に所望の文
字や画像が表示される。
【００９７】
以上の構成を有する比較例では、表示ユニット７０１と本体部７０２との通信部分、即
ちインターフェース部分Ｅ２（矩形状の破線部分）が複数の配線７７、つまり有線により
構成されている。
【００９８】
このため、その携帯電話機器７００の設計時に、その複数の配線７７を設置するための
スペースを確保する必要があり、或いは携帯電話機器７００の仕様や種類等によって複数
の配線７７のレイアウト方法を変える必要があるなど、様々な設計上の制約が伴いインタ
ーフェース部分Ｅ２の設計の自由度が低下すると共に、携帯電話機器７００の小型化／軽
量化を実現するのが困難であるといった問題がある。
【００９９】
また、携帯電話機器７００内には様々な他の複数の配線や各種回路なども存在するため
、それらから発せられるノイズが複数の配線７７に入り込み所望の画像が得られない虞が
ある。即ち、複数の配線７７上にはノイズ除去用フィルター７８が設けられているとはい
え、それでも未だ複数の配線７７と他の複数の配線及び各種回路とのノイズによる干渉の
問題が完全に解消されているとは言い難い。
【０１００】
さらに、比較例では本体部７０２にのみ電源部８１ｇが設けられ、このために、かかる
電源部８１ｇは、ベースバンドエンジン８１ｅに加え、表示ユニット７０１側に搭載され
る液晶装置８００にも電力を供給する必要があるため、消費電力の低減化を実現するのが
困難であるといった問題もある。
【０１０１】
この点、本実施形態の液晶装置５０を有する携帯電話機器１００では、表示ユニット８
０と本体部８１との通信部分、即ちインターフェース部分Ｅ１（図２の矩形状の破線部分
）には、それぞれ送受信用アンテナ８０ｈを有する変換部８０ｆと、送受信用アンテナ８
１ｈを有する変換部８１ｆが設けられており、そのインターフェース部分Ｅ１は、比較例
のように有線ではなく無線化されている。
【０１０２】
これにより、携帯電話機器１００においてインターフェース部分Ｅ１をシンプルな構造
とすることができる。即ち、インターフェース部分Ｅ１に複数の配線やノイズ除去用フィ
ルターなどを設ける必要がなくなる。よって、支持機構８１ｂ付近、即ちインターフェー
ス部分の設計の自由度を高めることができ、ひいては液晶装置５０及び携帯電話機器１０
０の設計の自由度を向上させることができる。その結果、液晶装置５０及び携帯電話機器
１００の小型化／軽量化を容易に実現することが可能となる。
【０１０３】
また、表示ユニット８０と本体部８１とは支持機構８１ｂによって着脱自在に取り付け
られているので、必要に応じて、表示ユニット８０を本体部８１から取り外すことが可能
となる。
【０１０４】
また、表示ユニット８０の変換部８０ｆと、本体部８１の変換部８１ｆとの間では双方
向通信を行うことができるので、データ送受信時のデータの確度（例えば、エラーの有無
）を双方向通信により調べる、そのエラーを修正する等、通信の信頼性を向上させること
ができる。
【０１０５】
したがって、これらを実現できると今後、ユーザーは本体部８１の操作をするとき以外
には当該本体部８１をポケットなどに入れておき、メール及び電話の着信状態等の表示画
像をいつでも見れるように表示ユニット８０のみを持ち歩いたり、或いは、本体部８１の
操作キー８１ｃを操作した後に表示ユニット８０のみを用いて玄関の鍵システムに所定の
電波を送信することにより電子的に玄関の鍵の開閉操作を行ったり、或いは、本体部８１
の操作キー８１ｃを操作した後に自動販売機やレジなどに取り付けられた電子決済システ
ムに表示ユニット５０のみを近づけて当該電子決済システムに所定の電波を送信すること
により電子決済（電子マネー機能）をしたりするなど、携帯電話機器１００の使用方法の
バリエーションが広がる。
【０１０６】
また、本実施形態では、表示ユニット８０送受信用アンテナ８０ｈを有する変換部８０
ｆと、本体部８１の送受信用アンテナ８１ｈを有する変換部８１ｆとの間では、携帯電話
機器１００の通話用及びメール送受信用の周波数帯域と重ならない周波数帯域を用いて無
線信号６４の送受信が行われる。これにより、携帯電話機器１００内で生じる様々な不要
なノイズが表示データ信号６０及び表示制御信号６１に対応する無線信号６４に入り込み
難くなる。また、本体部８１の変換部８１ｆと表示ユニット８０の変換部８０ｆとの間に
おいて表示データ信号６０及び表示制御信号６１に対応する無線信号６４の送受信を行う
と同時に、携帯電話機器１００を用いて通話やメールの送受信を行うときに、通話及びメ
ール送受信の不要なノイズが表示データ信号６０及び表示制御信号６１に対応する無線信
号６４に入り込むのを防止できる。よって、表示データ信号６０及び表示制御信号６１に
対応する無線信号６４の信号伝送に伴うノイズによる干渉の問題を解消することができる
。
【０１０７】
また、本実施形態では、無線伝送方式はシリアル伝送方式とすることができ、そのシリ
アル伝送方式により、表示データ信号６０及び表示制御信号６１の各々はパケット化され
た無線信号に変換され、本体部８１の変換部８１ｆと、表示ユニット８０の変換部８０ｆ
との間で無線信号６４の送受信が間欠的に行われるのが好ましい。このように、表示デー
タ信号６０及び表示制御信号６１の送受信を間欠的に行うことで、携帯電話機器１００の
消費電力の低減化を実現できる。
【０１０８】
また、本実施形態では、本体部８１には電源部８１ｇが設けられていると共に、表示ユ
ニット８０内にも、その電源部８１ｇと別個独立の電源部７０が設けられている。これに
より、上記の比較例と比較して電源部８１ｇ及び電源部７０の寿命を夫々約２倍程度向上
させることができ、消費電力の低減化を実現できる。また、これにより、本体部８１内の
ベースバンドエンジン８１ｇ側から表示ユニット８０へは表示データ信号及び表示制御信
号のみ送信すれば良くなり、無線通信の高速化を実現できる。
【０１０９】
［変形例］
上記の実施形態では、素子基板９１の張り出し領域３６に実装されたドライバＩＣ３３
と電気的に接続されるＦＰＣ３４に、送受信用アンテナ８０ｈを含む変換部８０ｆを設け
るようにした。これに限らず、本発明では、図８に示すように、素子基板９１のドライバ
ＩＣ３３に変換部８０ｆを回路として組み込み（矩形状の破線部分）、その変換部８０ｆ
から延びる送受信用アンテナ８０ｈを実線で示されるように当該ドライバＩＣ３３の外面
３３ａ上に引き出すように設置、或いは、送受信用アンテナ８０ｈを破線で示されるよう
に下側基板１上に引き出すように設置しても構わない。これらにより、ＦＰＣ３４等を設
ける必要がなくなるので、より一層、液晶装置５０及び携帯電話機器１００の設計の自由
度の向上が図れ、ひいては液晶装置５０及び携帯電話機器１００の小型化／軽量化などを
実現できる。
【０１１０】
また、上記の実施形態では、電源部７０を下側基板１上の張り出し領域３６に且つドラ
イバＩＣ３３の近傍位置に設けるようにしたが、本発明では、有効表示領域Ｖを除けば電
源部７０の設定位置に限定はない。
【０１１１】
また、上記実施形態では、表示ユニット８０と本体部８１とを着脱自在に取り付ける機
能を有する支持機構８１ｂを本体部８１側に設けるようにしたが、これに限らず、本発明
では、支持機構８１ｂを表示ユニット８０側或いは本体部８１及び表示ユニット８０の双
方に設けるようにしても構わない。
【０１１２】
また、上記の実施形態では、透過型の液晶装置５０に本発明を適用したが、これに限ら
ず、反射型又は半透過反射型の液晶装置に本発明を適用しても構わない。また、上記の実
施形態では、二端子型非線形素子の一例としてのＴＦＤ素子２１を有する液晶装置に本発
明を適用したが、これに限らず、Ｐ−Ｓｉ型のＴＦＴ素子若しくはα−Ｓｉ型のＴＦＴ素
子などに代表される三端子型素子を有する液晶装置に本発明を適用しても構わない。
【０１１３】
その他、本発明では、その趣旨を逸脱しない範囲において種々の変形をすることができ
る。
【０１１４】
［電子機器］
次に、本実施形態及び変形例に係る液晶装置５０等を適用可能な電子機器の具体例につ
いて図９を参照して説明する。
【０１１５】
まず、本実施形態に係る液晶装置５０等を、可搬型のパーソナルコンピュータ（いわゆ
るノート型パソコン）の表示部に適用した例について説明する。図９は、このパーソナル
コンピュータの構成を示す斜視図である。同図に示すように、パーソナルコンピュータ９
１０は、キーボード９１１を備えた本体部９１２と、本実施形態に係る液晶装置５０等を
適用した表示部９１３ａを有する表示ユニット９１３とを備えている。また、図示を省略
するが、本体部９１２と表示ユニット９１３とは図示しない支持機構を通じて着脱自在に
取り付けられている。本体部９１２は、上記した携帯電話機器１００の本体部８１と同様
の回路構成を有すると共に、表示ユニット９１３は、上記した携帯電話機器１００の表示
ユニット８０と同様の回路構成を有し、本体部９１２と表示ユニット９１３との間では、
無線伝送方式に基づき画像データ等の無線信号の送受信を行うことができるように構成さ
れている。このため、このパーソナルコンピュータ９１０は、上記した本発明の作用効果
を得ることができる。
【０１１６】
なお、本実施形態に係る液晶装置５０等を適用可能な電子機器としては、図９に示した
パーソナルコンピュータや図１に示した携帯電話機器１００の他にも、ＰＤＡ（Personal
Digital Assistant）などの携帯情報端末機器、液晶テレビ、ビューファインダ型・モニ
タ直視型のビデオテープレコーダ、カーナビゲーション装置、ページャ、電子手帳、電卓
、ワードプロセッサ、ワークステーション、テレビ電話、ＰＯＳ端末、ディジタルスチル
カメラなどが挙げられる。
【図面の簡単な説明】
【０１１７】
【図１】本発明の実施形態に係る携帯電話機器の構成を示す各種の正面図。
【図２】本発明の実施形態に係る携帯電話機器の回路構成を示すブロック図。
【図３】本発明の実施形態に係る液晶装置の構成を模式的に示す平面図。
【図４】図３の切断線Ａ−Ａ’に沿った液晶装置の断面図。
【図５】本実施形態に係る素子基板の回路構成を模式的に示す平面図。
【図６】本実施形態に係るカラーフィルタ基板の回路構成を模式的に示す平面図。
【図７】比較例に係る携帯電話機器の回路構成を示すブロック図。
【図８】変形例に係る液晶装置の構成を模式的に示す平面図。
【図９】本発明の液晶装置を適用した電子機器の斜視図。
【符号の説明】
【０１１８】
３３  ドライバＩＣ、  ３４  ＦＰＣ、  ３５  外部接続用配線、  ５０  液晶装置、
７０、８１ｇ  電源部、  ８０  表示ユニット、  ８０ｆ、８１ｆ  変換部、  ８０ｈ
、８１ｈ  送受信用アンテナ、  ８１  本体部、  ８１ｂ  支持機構、  ８１ｅ  ベース
バンドエンジン、  ９１  素子基板、  ９２  カラーフィルタ基板、  １００  携帯電話
機器
【図１】
0004677917.tif 000002
【図２】
0004677917.tif 000003
【図３】
0004677917.tif 000004
【図４】
0004677917.tif 000005
【図５】
0004677917.tif 000006
【図６】
0004677917.tif 000007
【図７】
0004677917.tif 000008
【図８】
0004677917.tif 000009
【図９】
0004677917.tif 000010